(57)【要約】【課題】データ通信の混雑度に応じて通信条件を自動的に調整すること。【解決手段】通信システム１０００は、ＬＴＥネットワーク３００に接続された基地局１００と、ＬＴＥネットワーク３００に接続され、基地局１００を監視する監視サーバ２００とを有する。基地局１００は、トラヒック情報と、通信条件とを監視サーバ２００に送信する。監視サーバ２００は、トラヒック情報に基づいて、障害基地局と、障害基地局に隣接する隣接基地局を抽出し、隣接基地局の通信条件を調整し、調整後の通信条件である調整後通信条件を隣接基地局に送信する。隣接基地局は、受信した調整後通信条件を設定する。【選択図】      図１
2016171390.tif 000002
【特許請求の範囲】
【請求項１】
ネットワークに接続された複数の基地局と、前記ネットワークに接続され、前記複数の基地局を監視する監視サーバと、を有する通信システムであって、
前記複数の基地局の各々は、
前記基地局と当該基地局のセル内に存在する端末装置との間におけるデータ通信の混雑度を表すトラヒック情報を取得する取得部と、
通信する際の通信条件を設定する条件設定部と、
前記トラヒック情報と、前記通信条件とを前記監視サーバに送信する通信情報送信部と、
通信条件受信部とを備え、
前記監視サーバは、
前記トラヒック情報と、前記通信条件と、を前記基地局から受信する通信情報受信部と、
前記トラヒック情報に基づいて、通信状態が悪化している基地局を前記複数の基地局の中から障害基地局として抽出し、前記障害基地局に隣接する基地局である隣接基地局を前記複数の基地局の中から抽出する判断部と、
前記トラヒック情報に基づいて、前記隣接基地局の前記通信条件を調整する調整部と、
調整後の通信条件である調整後通信条件を前記隣接基地局に送信する通信条件送信部と、を備え、
前記隣接基地局の前記通信条件受信部は、前記調整後通信条件を受信し、
前記隣接基地局の前記条件設定部は、前記調整後通信条件を設定する通信システム。
【請求項２】
前記トラヒック情報は、前記基地局と当該基地局のセル内に存在する端末装置との間におけるスループットを少なくとも含み、
前記調整部は、前記隣接基地局の前記通信条件を調整後に予測されるスループットが、前記基地局と当該基地局のセル内に存在する端末装置との間における許容スループット以下になるように、前記隣接基地局の前記通信条件を調整する請求項１又は２に記載の通信システム。
【請求項３】
前記複数の基地局の各々は、
前記基地局の増設又は減設に伴うネットワークトポロジの変更通知を前記監視サーバに送信する通知送信部と、を備え、
前記監視サーバは、
前記通信情報受信部により受信された前記通信条件と前記基地局とを対応付けて記憶する記憶部と、
前記ネットワークトポロジの変更通知を受信する通知受信部と、
前記基地局が減設された場合には、減設された基地局に対応する通信条件を前記記憶部から削除し、前記基地局が増設された場合には、所定の通信条件を、増設された基地局と対応付けて前記記憶部に新たに記憶させる変更部と、を備え、
前記通信条件送信部は、前記基地局が増設された場合、前記記憶部に新たに記憶された所定の通信条件を、増設された基地局に送信し、
前記通信条件受信部は、前記所定の通信条件を受信し、
前記条件設定部は、前記所定の通信条件を設定する請求項１または２に記載の通信システム。
【請求項４】
前記トラヒック情報は、前記基地局と当該基地局のセル内に存在する端末装置との間におけるスループット、前記基地局と前記ネットワークとの間におけるパケット廃棄率のうち、少なくとも１つを含む請求項１又は２に記載の通信システム。
【請求項５】
前記通信条件は、送信電力、アンテナチルト角、ハンドオーバパラメータのうち、少なくとも１つを含む請求項１から６のいずれか１項に記載の通信システム。
【請求項６】
ネットワークを介して接続される複数の基地局を監視する監視サーバであって、
前記複数の基地局と当該基地局のセル内に存在する端末装置との間におけるデータ通信の混雑度を表すトラヒック情報と、前記基地局に設定された通信する際の通信条件と、を前記基地局から受信する通信情報受信部と、
前記トラヒック情報に基づいて、通信状態が悪化している基地局を前記複数の基地局の中から障害基地局として抽出し、前記障害基地局に隣接する基地局である隣接基地局を前記複数の基地局の中から抽出する判断部と、
前記トラヒック情報に基づいて、前記隣接基地局の前記通信条件を調整する調整部と、
調整後の通信条件である調整後通信条件を前記隣接基地局に送信する通信条件送信部と、を備える監視サーバ。
【請求項７】
ネットワークに接続された複数の基地局と、前記ネットワークに接続され、前記基地局を監視する監視サーバと、を有する通信システムに用いられる通信制御方法であって、
前記複数の基地局の各々が、前記基地局と当該基地局のセル内に存在する端末装置との間におけるデータ通信の混雑度を表すトラヒック情報を取得する取得ステップと、
前記複数の基地局の各々が、通信する際の通信条件を設定する条件設定ステップと、
前記複数の基地局の各々が、前記トラヒック情報と、前記通信条件とを前記監視サーバに送信する通信情報送信ステップと、
前記監視サーバが、前記トラヒック情報と、前記通信条件と、を前記基地局から受信する通信情報受信ステップと、
前記監視サーバが、前記トラヒック情報に基づいて、通信状態が悪化している基地局を前記複数の基地局の中から障害基地局として抽出し、前記障害基地局に隣接する基地局である隣接基地局を前記複数の基地局の中から抽出する基地局抽出ステップと、
前記監視サーバが、前記トラヒック情報に基づいて、前記隣接基地局の前記通信条件を調整する調整ステップと、
前記監視サーバが、調整後の通信条件である調整後通信条件を前記隣接基地局に送信する通信条件送信ステップと、
前記隣接基地局が、前記調整後通信条件を受信する通信条件受信ステップと、を含み、
前記条件設定ステップでは、前記隣接基地局が、前記調整後通信条件を設定する通信制御方法。
【請求項８】
前記基地局は、
前記通信条件を調整するように要求する要求信号を、前記監視サーバに送信する要求信号送信部と、を備え、
前記監視サーバは、
前記要求信号を受信する要求信号受信部と、を備え、
前記要求信号受信部が前記要求信号を受けたとき、
前記判断部は、前記トラヒック情報に基づいて、前記要求信号を送信した基地局が前記障害基地局とあるか否かを判断し、前記要求信号を送信した基地局が前記障害基地局であると判断した場合、前記隣接基地局を前記複数の基地局の中から抽出し、
前記調整部は、前記要求信号を受けたとき、トラヒック情報に基づいて、前記隣接基地局の前記通信条件を調整する請求項１から３のいずれか１項に記載の通信システム。
【発明の詳細な説明】
【技術分野】
【０００１】
本発明は、通信システム等に関し、例えば、基地局と監視サーバとを有する通信システム等に関する。
【背景技術】
【０００２】
昨今、ネットワークに接続された基地局を有する通信システムが広く普及している。このような通信システムにおいて、例えば、基地局の送信電力やアンテナチルト角やハンドオーバパラメータ等といった基地局に設定される通信条件は、基地局設置時に設定された状態のままであった。
【０００３】
このような基地局に設定される通信条件は、基地局とネットワーク間におけるデータ通信の混雑度に応じて調整されることが望ましい。
【０００４】
なお、基地局を有する通信システムに関連する技術が、例えば、特許文献１に記載されている。
【先行技術文献】
【特許文献】
【０００５】
【特許文献１】国際公開第２０１０／１０４１４３号
【発明の概要】
【発明が解決しようとする課題】
【０００６】
しかしながら、上述した通信条件の調整を基地局の保守者介在のもと実施すると、メンテナンス工数が増大してしまうという問題があった。一方、基地局の保守者介在のもと通信条件が調整されなければ、基地局とネットワーク間におけるデータ通信の混雑度に応じて通信条件が調整されないという問題があった。そのため、例えば、ネットワーク上に想定以上の通信量が流れ込んでしまい、ネットワーク上において輻輳やパケットロスが発生することもある。
【０００７】
本発明は、このような事情を鑑みてなされたものであり、その目的は、データ通信の混雑度に応じて通信条件を自動的に調整することができる通信システム等を提供することにある。
【課題を解決するための手段】
【０００８】
本発明の通信システムは、ネットワークに接続された複数の基地局と、前記ネットワークに接続され、前記複数の基地局を監視する監視サーバと、を有する通信システムであって、前記複数の基地局の各々は、前記基地局と当該基地局のセル内に存在する端末装置との間におけるデータ通信の混雑度を表すトラヒック情報を取得する取得部と、通信する際の通信条件を設定する条件設定部と、前記トラヒック情報と、前記通信条件とを前記監視サーバに送信する通信情報送信部と、通信条件受信部とを備え、前記監視サーバは、前記トラヒック情報と、前記通信条件と、を前記基地局から受信する通信情報受信部と、前記トラヒック情報と、前記トラヒック情報に対応する所定の閾値とに基づいて、通信状態が悪化している基地局を前記複数の基地局の中から障害基地局として抽出し、前記障害基地局に隣接する基地局である隣接基地局を前記複数の基地局の中から抽出する判断部と、前記トラヒック情報に基づいて、前記隣接基地局の前記通信条件を調整する調整部と、調整後の通信条件である調整後通信条件を前記隣接基地局に送信する通信条件送信部と、を備え、前記隣接基地局の前記通信条件受信部は、前記調整後通信条件を受信し、前記隣接基地局の前記条件設定部は、前記調整後通信条件を設定する。
【０００９】
本発明の監視サーバは、ネットワークを介して接続される複数の基地局を監視する監視サーバであって、前記複数の基地局と当該基地局のセル内に存在する端末装置との間におけるデータ通信の混雑度を表すトラヒック情報と、前記基地局に設定された通信する際の通信条件と、を前記基地局から受信する通信情報受信部と、前記トラヒック情報と、前記トラヒック情報に対応する所定の閾値とに基づいて、通信状態が悪化している基地局を前記複数の基地局の中から障害基地局として抽出し、前記障害基地局に隣接する基地局である隣接基地局を前記複数の基地局の中から抽出する判断部と、前記トラヒック情報に基づいて、前記隣接基地局の前記通信条件を調整する調整部と、調整後の通信条件である調整後通信条件を前記隣接基地局に送信する通信条件送信部と、を備える。
【００１０】
本発明の通信制御方法は、ネットワークに接続された複数の基地局と、前記ネットワークに接続され、前記基地局を監視する監視サーバと、を有する通信システムに用いられる通信制御方法であって、前記複数の基地局の各々が、前記基地局と当該基地局のセル内に存在する端末装置との間におけるデータ通信の混雑度を表すトラヒック情報を取得する取得ステップと、前記複数の基地局の各々が、通信する際の通信条件を設定する条件設定ステップと、前記複数の基地局の各々が、前記トラヒック情報と、前記通信条件とを前記監視サーバに送信する通信情報送信ステップと、前記監視サーバが、前記トラヒック情報と、前記通信条件と、を前記基地局から受信する通信情報受信ステップと、前記監視サーバが、前記トラヒック情報と、前記トラヒック情報に対応する所定の閾値とに基づいて、通信状態が悪化している基地局を前記複数の基地局の中から障害基地局として抽出し、前記障害基地局に隣接する基地局である隣接基地局を前記複数の基地局の中から抽出する基地局抽出ステップと、前記監視サーバが、前記トラヒック情報に基づいて、前記隣接基地局の前記通信条件を調整する調整ステップと、前記監視サーバが、調整後の通信条件である調整後通信条件を前記隣接基地局に送信する通信条件送信ステップと、前記隣接基地局が、前記調整後通信条件を受信する通信条件受信ステップと、を含み、前記条件設定ステップでは、前記隣接基地局が、前記調整後通信条件を設定する。
【発明の効果】
【００１１】
本発明の通信システム等によれば、データ通信の混雑度に応じて通信条件を自動的に調整することができる。
【図面の簡単な説明】
【００１２】
【図１】本発明の第１の実施の形態における通信システムの構成を示すブロック図である。
【図２】本発明の第１の実施の形態における通信システムの構成の概略を示す概略図である。
【図３】本発明の第１の実施の形態における通信システムの記憶部に基地局毎に記憶される通信条件、トラヒック情報及び許容スループットの一例を示す図である。
【図４】本発明の第１の実施の形態における通信システムの動作フローを示す図である。
【図５】本発明の第２の実施の形態における通信システムの構成を示すブロック図である。
【図６】本発明の第２の実施の形態における通信システムの動作フローを示す図である。
【図７】本発明の第２の実施の形態における基地局が減設される前又は基地局が新たに増設される前における、記憶部に記憶される基地局と、通信条件、トラヒック情報及び許容スループットとの対応関係の一例を示す図である。
【図８】本発明の第２の実施の形態における基地局が新たに増設された後における、記憶部に記憶される基地局と、通信条件との対応関係の一例を示す図である。
【発明を実施するための形態】
【００１３】
＜第１の実施の形態＞
図１は、本発明の第１の実施の形態における通信システム１０００の構成を示すブロック図である。図２は、本発明の第１の実施の形態における通信システム１０００の構成の概略を示す概略図である。
【００１４】
以下の説明では、まず、図２を用いて通信システム１０００の構成の概略を説明し、その後に図１を用いて通信システム１０００の詳細な構成を説明する。
【００１５】
まず、図２を用いて、通信システム１０００の構成の概略を説明する。図２に示されるように、通信システム１０００は、少なくとも、複数の基地局１００−１、１００−２及び１００−３と、監視サーバ２００とを有して構成されている。なお、以下の説明では、基地局１００−１、１００−２及び１００−３の各々を特に区別して説明する必要が無い限り、これらを総称して基地局１００とする。
【００１６】
図２に示されるように、各基地局１００は、ＬＴＥ（Ｌｏｎｇ  Ｔｅｒｍ  Ｅｖｏｌｕｔｉｏｎ）ネットワーク３００に接続されている。各基地局１００は、各セル６００内に設けられている。また、各セル６００内には、携帯電話等の端末装置（不図示）が存在する。各基地局１００は、セル６００内の端末装置との間でデータ通信を行う。
【００１７】
なお、ここでは、基地局１００は、３つである例を示しているが、少なくとも２つ以上であればよい。
【００１８】
図２に示されるように、監視サーバ２００は、ＬＴＥネットワーク３００に接続されている。監視サーバ２００は、複数の基地局１００とＬＴＥネットワークを介して接続され、基地局１００を監視する。監視サーバ２００は、Ｏ＆Ｍ（Ｏｐｅｒａｔｉｏｎ  ＆  Ｍａｉｎｔｅｎａｎｃｅ）サーバとも呼ばれる。
【００１９】
図２に示されるように、ＬＴＥネットワーク３００は、複数の基地局１００と、監視サーバ２００と、ＥＰＣ（Ｅｖｏｌｖｅｄ  Ｐａｃｋｅｔ  Ｃｏｒｅ）４００と、にそれぞれ接続されている。ここでは、例示的にＬＴＥ規格に準拠するＬＴＥネットワーク３００の例を示しているが、これに限定されない。例えば、ＬＴＥネットワーク３００に代えて、３Ｇ（３ｒｄ  Ｇｅｎｅｒａｔｉｏｎ）規格に準拠するネットワークであってもよい。なお、ＬＴＥネットワーク３００は、本発明のネットワークに相当する。
【００２０】
図２に示されるように、ＥＰＣ４００は、ＬＴＥネットワーク３００と、コアネットワーク５００とにそれぞれ接続されている。ＥＰＣ４００は、例えば、ＭＭＥ（Ｍｏｂｉｌｉｔｙ  Ｍａｎａｇｅｍｅｎｔ  Ｅｎｔｉｔｙ）やＳ−ＧＷ（Ｓｅｒｖｉｎｇ  Ｇａｔｅｗａｙ）やＰ−ＧＷ（ＰＤＮ  Ｇａｔｅｗａｙ）等から構成されるコアネットワーク群である。
【００２１】
図２に示されるように、コアネットワーク５００は、ＥＰＣ４００に接続されている。コアネットワーク５００は、基幹回線網やバックボーンとも呼ばれる。
【００２２】
次に、図１を用いて、通信システム１０００の詳細な構成を説明する。なお、図１では、図２に示したＥＰＣ４００及びコアネットワーク５００の図示を省略している。ＥＰＣ４００及びコアネットワーク５００は、本発明の構成要件に含まれなくてよい。
【００２３】
まず、基地局１００の詳細な構成について説明する。
【００２４】
図１に示されるように、基地局１００は、取得部１１０と、条件設定部１２０と、通信情報送信部１３０と、通信条件受信部１４０と、第１の制御部１５０とを備えて構成されている。
【００２５】
図１に示されるように、取得部１１０は、第１の制御部１５０に接続されている。取得部１１０は、基地局１００と、当該基地局１００のセル内に存在する端末装置との間におけるデータ通信の混雑度を表すトラヒック情報を取得する。
【００２６】
ここでいう基地局１００とＬＴＥネットワーク３００との間とは、基地局１００と監視サーバ２００との間（Ｏ＆Ｍリンク）、又は基地局１００とＥＰＣ４００との間（Ｓ１リンク）を含むものである。
【００２７】
ここでいうデータ通信の混雑度とは、後述する調整部２３２が通信条件を調整する際に用いるデータ通信の混雑度合のことである。
【００２８】
トラヒック情報には、基地局１００と当該基地局１００のセル内に存在する端末装置との間におけるスループット、基地局１００と当該基地局１００のセル内に存在する端末装置との間におけるパケット廃棄率のうち、少なくとも１つが含まれる。
【００２９】
スループットとは、単位時間当たりに流れるデータ通信の通信量のことである。
【００３０】
パケット廃棄率とは、流れたパケットに対して損失したパケットの割合のことである。
【００３１】
また、取得部１１０は、トラヒック情報に加え、基地局１００と、当該基地局１００のセル内に存在する端末装置との間における許容スループットも取得する。許容スループットとは、基地局１００と、当該基地局１００のセル内に存在する端末装置との間において最大限許容されるスループットの値のことである。
【００３２】
図１に示されるように、条件設定部１２０は、第１の制御部１５０に接続されている。条件設定部１２０は、通信する際の通信条件を設定する。また、条件設定部１２０は、通信条件を記憶している。条件設定部１２０は、後述する通信条件送信部２４０から調整後通信条件が送信されたとき、調整後通信条件を設定する。後述の通り、第１の制御部１５０は、条件設定部１２０により設定された通信条件（調整後通信条件も含む。）に従って、基地局１００を制御する。
【００３３】
通信条件は、例えば、基地局１００におけるセル６００のカバレッジや、基地局１００と当該基地局１００のセル内に存在する端末装置との間におけるデータ通信の混雑度や、基地局１００のセル６００内におけるデータ通信の混雑度に影響を与える情報である。
【００３４】
また、通信条件には、基地局１００の送信電力、基地局１００のアンテナチルト角、ハンドオーバパラメータのうち、少なくとも１つが含まれる。
【００３５】
基地局１００の送信電力とは、基地局１００からセル６００内の端末装置に電波を送信する際における電力のことである。
【００３６】
基地局１００のアンテナチルト角とは、基地局１００のアンテナ（不図示）の角度のことである。
【００３７】
ハンドオーバパラメータとは、基地局１００のセル６００内に収容される端末装置が他の基地局１００にハンドオーバする際に影響を及ぼすパラメータである。
【００３８】
ハンドオーバパラメータには、例えば、ＣＩＯ（Ｃｅｌｌ  Ｉｎｄｉｖｉｄｕａｌ  Ｏｆｆｓｅｔ）やＴＴＴ（Ｔｉｍｅ  ｔｏ  Ｔｒｉｇｇｅｒ）等が挙げられる。ここでは、ハンドオーバパラメータが、ＣＩＯである例について説明する。
【００３９】
図１に示されるように、通信情報送信部１３０は、第１の制御部１５０に接続されている。通信情報送信部１３０は、取得部１１０により取得したトラヒック情報と、条件設定部１２０により設定された通信条件とを監視サーバ２００に送信する。また、通信情報送信部１３０は、トラヒック情報及び通信条件に加え、取得部１１０により取得された許容スループットも送信する。
【００４０】
図１に示されるように、通信条件受信部１４０は、第１の制御部１５０に接続されている。通信条件受信部１４０は、監視サーバ２００から、後述する調整部２３２により調整された調整後通信条件を受信する。
【００４１】
図１に示されるように、第１の制御部１５０は、取得部１１０と、条件設定部１２０と、通信情報送信部１３０と、通信条件受信部１４０とにそれぞれ接続されている。第１の制御部１５０は、基地局１００の全体を制御する。第１の制御部１５０は、取得部１１０の取得結果を取得し、その取得結果を通信情報送信部１３０に出力する。第１の制御部１５０は、通信条件受信部１４０の受信結果を取得し、その受信結果を条件設定部１２０に出力する。
【００４２】
また、第１の制御部１５０は、条件設定部１２０により設定された通信条件（調整後通信条件も含む。）に従って、基地局１００を制御する。例えば、第１の制御部１５０は、アンテナチルト角の値に従って、アンテナチルト角を調整する。
【００４３】
以上、基地局１００の詳細な構成について説明した。
【００４４】
次に、監視サーバ２００の詳細な構成について説明する。
【００４５】
図１に示されるように、監視サーバ２００は、通信情報受信部２１０と、記憶部２２０と、第２の制御部２３０と、通信条件送信部２４０とを備えて構成されている。
【００４６】
図１に示されるように、通信情報受信部２１０は、第２の制御部２３０に接続されている。通信情報受信部２１０は、通信情報送信部１３０により送信されるトラヒック情報及び通信条件を受信する。また、通信情報受信部２１０は、これらトラヒック情報及び通信条件に加え、通信情報送信部１３０により送信される許容スループットも受信する。
【００４７】
図１に示されるように、記憶部２２０は、第２の制御部２３０に接続されている。記憶部２２０は、通信情報受信部２１０により受信された通信条件を基地局１００毎に記憶する。また、記憶部２２０は、通信条件に加え、通信情報受信部２１０により受信されたトラヒック情報及び許容スループットも、基地局１００毎に記憶する。
【００４８】
さらに、記憶部２２０は、ネットワークトポロジ情報も記憶する。ここでいうネットワークトポロジ情報とは、ＬＴＥネットワーク３００にどのような基地局１００が接続されているか等といったＬＴＥネットワーク３００の構成情報のことである。
【００４９】
記憶部２２０は、調整部２３２により、通信条件の調整があった場合、調整部２３２により調整された調整後の通信条件である調整後通信条件を、調整前の通信条件と置き換えて記憶する。
【００５０】
ここで、図３を用いて、基地局１００と、通信条件、トラヒック情報及び許容スループットとの対応関係について説明する。図３は、記憶部２２０に基地局１００毎に記憶される通信条件、トラヒック情報及び許容スループットの一例を示す図である。
【００５１】
図３に示されるように、複数の基地局１００の各々毎に、ネットワークパラメータ、許容スループット、通信条件及びトラヒック情報が、各々互いに対応付けられて記憶されている。
【００５２】
ネットワークパラメータには、図３に示されるように、ＩＰ（Internet Protocol）アドレス、サブネットマスク、ゲートウェイ及びＭＴＵ（Maximum Transmission Unit）等が含まれる。ネットワークパラメータは、監視サーバ２００から基地局１００に対して割り当てられる。本発明では、ネットワークパラメータについての詳細な説明を省略する。
【００５３】
図３の（１）に示されるように、基地局１００−１について、許容スループットＸ１［ｂｐｓ］、送信電力ａ１［ｄＢ］、アンテナチルト角ａ２［度］、ＣＩＯａ３、スループットＡ１［ｂｐｓ］及びパケット廃棄率Ｂ１［％］がそれぞれ記憶部２２０に記憶されている。
【００５４】
図３の（２）及び（３）は、基地局１００−２、１００−３の各種情報が、記憶部２２０に記憶されていることを示す。なお、具体的内容については図３の（１）と同様のため説明を省略する。
【００５５】
図１に戻って、第２の制御部２３０は、通信情報受信部２１０と、記憶部２２０と、通信条件送信部２４０とにそれぞれ接続されている。第２の制御部２３０は、監視サーバ２００の全体を制御する。第２の制御部２３０は、通信情報受信部２１０の受信結果を取得し、その受信結果を記憶部２２０に出力する。
【００５６】
また、第２の制御部２３０は、調整部２３２の調整結果を記憶部２２０及び通信条件送信部２４０に出力する。
【００５７】
図１に示されるように、第２の制御部２３０は、判断部２３１と、調整部２３２とを備えて構成されている。
【００５８】
判断部２３１は、トラヒック情報と、トラヒック情報に対応する所定の閾値とに基づいて、通信状態が悪化している基地局である障害基地局を複数の基地局の中から抽出する。より具体的には、判断部２３１は、基地局１００毎に、トラヒック情報と、トラヒック情報に対応する所定の閾値を比較する。そして、判断部２３１は、トラヒック情報が当該トラヒック情報に対応する所定の閾値よりも大きい基地局１００が存在した場合、当該基地局を障害基地局として抽出する。なお、障害基地局の具体例は、たとえば、スループットが低下していたり、パケットロスが頻繁に生じていたりする基地局や、ＣＰＵ（Central Processing Unit）使用率やメモリ使用率が高くなっている高負荷の基地局である。
【００５９】
判断部２３１は、障害基地局に隣接する基地局を複数の基地局の中から調整対象基地局として抽出する。より具体的には、判断部２３１は、障害基地局に隣接する基地局が存在するか否かを、ネットワークトポロジ情報に基づいて、判断する。前述の通り、ネットワークトポロジ情報は、予め記憶部２２０に記憶されている。
【００６０】
そして、障害基地局に隣接する基地局が存在する場合、判断部２３１は、障害基地局に隣接する基地局を複数の基地局の中から隣接基地局として抽出する。判断部２３１の詳細な動作については後述する。
【００６１】
調整部２３２は、判断部２３１の判断結果及びトラヒック情報に基づいて、隣接基地局について、記憶部２２０に記憶されている通信条件を調整する。調整部２３２に詳細な動作については後述する。
【００６２】
また、トラヒック情報に基地局１００とＬＴＥネットワーク３００との間におけるスループットが含まれる場合、調整部２３２は、通信条件を調整後に予測されるスループットが、許容スループット以下になるように、隣接基地局の通信条件を調整する。
【００６３】
図１に示されるように、通信条件送信部２４０は、第２の制御部２３０に接続されている。通信条件送信部２４０は、調整部２３２により調整された調整後の通信条件である調整後通信条件を基地局１００に送信する。
【００６４】
次に、図４を用いて、通信システム１０００の動作を説明する。図４は、通信システム１０００の動作フローを示す図である。
【００６５】
ここでは特に、基地局１００−１と監視サーバ２００との間における処理について説明する。
【００６６】
また、ここでは、まず、基地局１００−１は、図３の（１）に示した通信条件で動作しているものとする。
【００６７】
まず、図４に示されるように、取得部１１０は、トラヒック情報（スループット、パケット廃棄率）及び許容スループットを取得する（ステップ：ＳＴＥＰ（以下、Ｓとする）１１０）。
【００６８】
次に、通信情報送信部１３０は、Ｓ１１０の処理において取得したトラヒック情報及び許容スループット並びに条件設定部１２０に設定された通信条件（送信電力ａ１、アンテナチルト角ａ２及びＣＩＯａ３）を、監視サーバ２００に送信する（Ｓ１２０）。
【００６９】
通信情報受信部２１０は、通信情報送信部１３０から送信されたトラヒック情報、許容スループット及び通信条件を受信する（Ｓ１３０）。第２の制御部２３０は、これらの情報を取得し、記憶部２２０へ出力する。
【００７０】
記憶部２２０は、第２の制御部２３０の指示に従って、図３を用いて前述したように、基地局１００−１と、トラヒック情報、許容スループット及び通信条件と、を対応付けて記憶する（Ｓ１４０）。
【００７１】
判断部２３１は、トラヒック情報と、トラヒック情報に対応する所定の閾値とに基づいて、障害基地局を複数の基地局の中から抽出する（Ｓ１５０）。
【００７２】
ここで、判断部２３１が、スループットＡ１［ｂｐｓ］及びパケット廃棄率Ｂ１［％］を用いて、障害基地局を複数の基地局の中から抽出する動作について説明する。
【００７３】
まず、判断部２３１が、スループットＡ１［ｂｐｓ］を用いて、障害基地局を複数の基地局の中から抽出する動作について説明する。
【００７４】
判断部２３１は、例えば、スループットＡ１［ｂｐｓ］＜閾値Ｔｈｒｐｔ１［ｂｐｓ］の場合、当該基地局１００−１が障害基地局であると判断する。同様に、判断部２３１は、基地局１００−１以外の基地局すべてに対して、障害基地局であるか否かを判定する。また、Ｔｈｒｐｔ１は、監視サーバ２００の管理者が任意に設定できるものとする。
【００７５】
次に、判断部２３１が、パケット廃棄率Ｂ１を用いて、障害基地局を複数の基地局の中から抽出する動作について説明する。
【００７６】
判断部２３１は、例えば、パケット廃棄率Ｂ１［％］＞閾値Ｐ１［％］の場合、当該基地局１００−１が障害基地局であると判断する。同様に、判断部２３１は、基地局１００−１以外の基地局すべてに対して、障害基地局であるか否かを判定する。また、閾値Ｐ１は、監視サーバ２００の管理者が任意に設定できるものとする。
【００７７】
なお、判断部２３１は、スループットＡ１［ｂｐｓ］のみを用いて、障害基地局を複数の基地局の中から抽出してもよい。また、判断部２３１は、パケット廃棄率Ｂ１［％］のみを用いて、障害基地局を複数の基地局の中から抽出してもよい。さらに、判断部２３１は、スループットＡ１［ｂｐｓ］及びパケット廃棄率Ｂ１［％］の両方を用いて、障害基地局を複数の基地局の中から抽出してもよい。
【００７８】
図４に戻って、障害基地局が判断部２３１により抽出された場合（Ｓ１５０、ＹＥＳ）、判断部２３１は、障害基地局に隣接する基地局である隣接基地局が存在するか否かを、記憶部２２０に予め記憶されているネットワークトポロジ情報に基づいて判断する（Ｓ１７０）。
【００７９】
一方、障害基地局が判断部２３１により抽出されなかった場合（Ｓ１５０、ＮＯ）判断部２３１は何も処理を行わずに動作を終了する。
【００８０】
隣接基地局が存在すると判断部２３１により判断された場合（Ｓ１６０、ＹＥＳ）、調整部２３２は隣接基地局の通信条件を調整する（Ｓ１７０）。
【００８１】
隣接基地局が存在しないと判断部２３１により判断された場合（Ｓ１６０、ＮＯ）、調整部２３２は何も処理を行わずに動作を終了する。
【００８２】
ここで、Ｓ１７０の処理について、調整部２３２が、スループットＡ１［ｂｐｓ］及びパケット廃棄率Ｂ１［％］に基づいて、隣接基地局の通信条件を調整する動作について説明する。
【００８３】
ここでは、障害基地局が基地局１００−１であり、隣接基地局が基地局１００−２であったとする。隣接基地局が存在すると判断部２３１により判断された場合、調整部２３１は、隣接基地局１００−２の新しいカバレッジ設定パラメータ候補値を予測する。また、複数の隣接基地局が存在する場合、調整部２３２は、通信品質（トラヒック情報）が最も高いか、もしくは負荷が最も低い基地局を選択する。
【００８４】
まず、前述したように、障害基地局１００−１のスループットＡ１［ｂｐｓ］＜閾値Ｔｈｒｐｔ１［ｂｐｓ］（又は障害基地局１００−１のパケット廃棄率Ｂ１［％］＜閾値Ｐ２［％］）の場合について説明する。
【００８５】
この場合、調整部２３２は、隣接基地局１００−２について、送信電力ａ１［ｄＢ］を増加、アンテナチルト角ａ２［度］を増減又はＣＩＯａ３を減少させるといった調整を行う。
【００８６】
隣接基地局１００−２の送信電力ａ１［ｄＢ］を増加させた場合や、隣接基地局１００−２のアンテナチルト角ａ２［度］を増減させた場合には、隣接基地局１００−２のセル６００の半径が大きくなる。これにより、隣接基地局１００−２のセルから移動基地局１００−１のセルへの端末装置の移動が減少する。したがって、障害基地局１００−１のセル６００内に存在する端末装置が必要以上に増えなくなり、結果として、障害基地局１００−１の負荷を低減することができる。
【００８７】
また、隣接基地局１００−２のＣＩＯａ３を減少させた場合も、隣接基地局１００−２のセルから障害基地局１００−１のセル６００内へ端末装置の移動が減少する。これにより、障害基地局１００−１のセル６００に存在する端末装置の数が減る。したがって、障害基地局１００−１の負荷を減少させることができる。このように、障害基地局１００−１と、この障害基地局内に存在する端末装置との間の通信量を増やさないことにより、障害基地局１００−１と、この障害基地局内に存在する端末装置との間の通信品質を回復させることができる。なお、隣接基地局１００−２のアンテナチルト角ａ２［度］の調整方法については、限定されない。
【００８８】
隣接基地局１００−２のセル６００におけるデータ通信の通信量が増加することにより、障害基地局１００−１とＬＴＥネットワーク３００との間におけるデータ通信の通信量は増加する。このようにして、調整部２３２は、隣接基地局１００−２の送信電力ａ１［ｄＢ］やアンテナチルト角ａ２［度］やＣＩＯａ３を増減させることにより、障害基地局１００−１のスループットＡ１［ｂｐｓ］を増加させることができる。
【００８９】
なお、調整部２３２が障害基地局１００−１のスループットＡ１［ｂｐｓ］をどの程度まで増加させるかについては限定されない。例えば、調整部２３２は、各基地局１００とＬＴＥネットワーク３００との間の総データ通信量等を鑑みて障害基地局１００−１のスループットＡ１［ｂｐｓ］の増加量を調整してもよい。
【００９０】
このとき、調整部２３２は、通信条件を調整後に予測される障害基地局１００−１のスループット（Ａ２［ｂｐｓ］とする）が、許容スループットＸ１［ｂｐｓ］以下になるように、隣接基地局１００−２の通信条件を調整する。
【００９１】
また、調整部２３２は、隣接基地局１００−２の通信条件を調整後に予測される障害基地局１００−１のパケット廃棄率（Ｂ２［％］とする）が、許容されるパケット廃棄率（Ｙ１［％］とする）以下になるように、隣接基地局１００−２の通信条件を調整してもよい。許容される障害基地局１００−１のパケット廃棄率は、例えば、監視サーバ２００の管理者が任意に設定できるものとする。これにより、調整部２３２は、障害基地局１００−１のパケット廃棄率が必要以上に高くなることを防止できる。
【００９２】
また、調整部２３２が隣接基地局１００−２のどの通信条件を調整するかについては限定されない。
【００９３】
なお、隣接基地局１００−２の通信条件を変更することで、隣接基地局１００−２のセル６００の通信品質が大きく下がったり、負荷が大きくなったりする場合は、隣接基地局１００−２の通信条件の更新を行わない。必要以上に隣接基地局１００−２の通信条件を変更しないためである。通信条件の更新が必要になった場合、該当する隣接基地局１００−２に対して通信条件の更新を要求する。どの通信条件を更新するかは予め選択しておく。
【００９４】
図４に戻って、通信条件送信部２４０は、調整部２３２により調整された調整後の通信条件である調整後通信条件を基地局１００に送信する（Ｓ１８０）。
【００９５】
記憶部２２０は、第２の制御部２３０の指示に従って、調整部２３２により調整された調整後通信条件を、調整前の通信条件と置き換えて記憶する（Ｓ１９０）。
【００９６】
隣接基地局１００−２の通信条件受信部１４０は、通信条件送信部２４０により送信された調整後通信条件を受信する（Ｓ２００）。
【００９７】
最後に、隣接基地局１００−２の条件設定部１２０は、調整後通信条件を設定する（Ｓ２１０）。そして、隣接基地局１００−２の基地局１００−１の第１の制御部１５０は、調整後の通信条件に従って、基地局１００−１を制御する。
【００９８】
なお、Ｓ２１０の処理の後、基地局１００（障害基地局１００−１、隣接基地局１００−２を含む。）は、所定の周期でトラヒック情報を取得し、監視サーバ２００に送信してもよい。そして、監視サーバ２００は、所定の周期で取得され障害基地局１００−１のトラヒック情報に基づいて、隣接基地局１００−２の通信条件を調整してもよい。
【００９９】
また、監視サーバ２００は、基地局１００に対して、トラヒック情報、許容スループット値及び通信条件を送信するように命令する命令信号を送信してもよい。基地局１００は、この命令信号を受信したとき、トラヒック情報、許容スループット値及び通信条件を監視サーバ２００に送信することにしてもよい。
【０１００】
以上に説明したように、本発明の第１の実施の形態における通信システム１０００は、複数の基地局１００と、監視サーバ２００とを有する。基地局１００は、ＬＴＥネットワーク３００に接続されている。監視サーバ２００は、ＬＴＥネットワーク３００に接続され、複数の基地局１００を監視する。
【０１０１】
複数の基地局１００の各々は、取得部１１０と、条件設定部１２０と、通信情報送信部１３０と、通信条件受信部１４０とを備えている。取得部１１０は、基地局１００と当該基地局１００のセル内に存在する端末装置との間におけるデータ通信の混雑度を表すトラヒック情報を取得する。条件設定部１２０は、通信する際の通信条件を設定する。通信情報送信部１３０は、トラヒック情報と、通信条件とを監視サーバ２００に送信する。
【０１０２】
監視サーバ２００は、通信情報受信部２１０と、判断部２３１と、調整部２３２と、通信条件送信部２４０とを備えている。通信情報受信部２１０は、トラヒック情報と、通信条件とを基地局１００から受信する。判断部２３１は、トラヒック情報に基づいて、通信状態が悪化している基地局を複数の基地局の中から障害基地局１００−１として抽出し、障害基地局１００−１に隣接する基地局である隣接基地局１００−２を複数の基地局１００の中から抽出する。調整部２３２は、トラヒック情報に基づいて、調整対象基地局１００−２の通信条件を調整する。通信条件送信部２４０は、調整後の通信条件である調整後通信条件を調整対象基地局１００−２に送信する。隣接基地局１００−２の通信条件受信部１４０は、調整後通信条件を受信する。隣接基地局１００−２の条件設定部１２０は、調整後通信条件を設定する。
【０１０３】
このように、基地局１００は、基地局１００と当該基地局１００のセル内に存在する端末装置との間におけるデータ通信の混雑度を表すトラヒック情報と、通信条件とを監視サーバ２００に送信し、監視サーバ２００は、トラヒック情報に基づいて、通信状態が悪化している障害基地局１００−１と、障害基地局１００−１に隣接する隣接基地局１００−２を抽出する。また、監視サーバ２００は、隣接基地局１００−２の通信条件を調整し、調整後通信条件を調整対象基地局１００−２に送信する。隣接基地局１００−２は、通信条件送信部２４０により送信された調整後通信条件を設定する。
【０１０４】
これにより、基地局１００と当該基地局１００のセル内に存在する端末装置との間におけるデータ通信の混雑度に応じて、障害基地局１００−１に隣接する隣接基地局１００−２の通信条件を調整することができる。また、隣接基地局１００−２の通信条件を調整することによって、障害基地局１００−１のトラヒック情報を変更することができる。これにより、基地局１００の保守者が通信条件を設定する場合と比較して、基地局１００の保守運営費を低減することができ、低コスト化を図ることができる。また、基地局１００の保守者が通信条件を調整する必要がないので、保守者により通信条件の調整ミス等といったオペレーションミスを抑制することができる。
【０１０５】
また、隣接基地局１００−２の通信条件を調整することにより、障害基地局１００−１とＬＴＥネットワーク３００との間におけるスループットを調整することができる。その結果、障害基地局１００−１と当該障害基地局１００−１のセル内に存在する端末装置との間におけるデータ通信のネットワークリソース（回線帯域等）を有効活用できる。また、障害基地局１００−１とＬＴＥネットワーク３００との間における輻輳やパケットロスを低減することができる。
【０１０６】
また、本発明の第１の実施の形態における通信システム１０００において、トラヒック情報は、基地局１００と当該基地局１００のセル内に存在する端末装置との間におけるスループットを少なくとも含み、調整部２３２は、隣接基地局１００−２の通信条件を調整後に予測されるスループットが、基地局１００とＬＴＥネットワーク３００との間における許容スループット以下になるように、隣接基地局１００−２の通信条件を調整する。
【０１０７】
これにより、基地局１００と当該基地局１００のセル内に存在する端末装置との間におけるデータ通信のネットワークリソース（回線帯域等）をより有効活用できる。
【０１０８】
また、本発明の第１の実施の形態における通信システム１０００において、トラヒック情報は、基地局１００と当該基地局１００のセル内に存在する端末装置との間におけるスループット、基地局１００と当該基地局１００のセル内に存在する端末装置との間におけるパケット廃棄率のうち、少なくとも１つを含む。
【０１０９】
これにより、調整部２３２は、基地局１００と当該基地局１００のセル内に存在する端末装置との間におけるスループット又は基地局１００と当該基地局１００のセル内に存在する端末装置との間におけるパケット廃棄率に基づいて、隣接基地局１００−２の通信条件を調整することができる。その結果、基地局１００と当該基地局１００のセル内に存在する端末装置との間における輻輳やパケットロスをより効果的に低減することができる。
【０１１０】
本発明の第１の実施の形態における通信システム１０００において、通信条件は、送信電力、アンテナチルト角、ハンドオーバパラメータのうち、少なくとも１つを含む。これにより、また、隣接基地局１００−２の送信電力、アンテナチルト角、ハンドオーバパラメータのうち、少なくとも１つを調整することによって、障害基地局１００−１のトラヒック情報を変更することができる。これにより、障害基地局１００−１の通信状態を良くすることができる。
【０１１１】
また、本発明の第１の実施の形態における監視サーバ２００は、ＬＴＥネットワーク３００を介して接続される基地局１００を監視する。監視サーバ２００は、通信情報受信部２１０と、判断部２３１と、調整部２３２と、通信条件送信部２４０とを備える。通信情報受信部２１０は、基地局１００と当該基地局１００のセル内に存在する端末装置との間におけるデータ通信の混雑度を表すトラヒック情報と、基地局１００に設定された通信する際の通信条件と、を基地局１００から受信する。判断部２３１は、トラヒック情報に基づいて、通信状態が悪化している基地局を複数の基地局１００の中から障害基地局１００−１として抽出し、障害基地局１００−１に隣接する基地局である隣接基地局１００−２を複数の基地局１００の中から抽出する。調整部２３２は、トラヒック情報に基づいて、隣接基地局１００−２の通信条件を調整する。通信条件送信部２４０は、調整後の通信条件である調整後通信条件を隣接基地局１００−２に送信する。
【０１１２】
このように、監視サーバ２００は、トラヒック情報に基づいて、隣接基地局１００−２の通信条件を調整し、調整後の通信条件である調整後通信条件を隣接基地局１００−２に送信するので、上述した通信システム１０００と同様の作用効果を奏する。
【０１１３】
また、本発明の第１の実施の形態における通信制御方法は、ＬＴＥネットワーク３００に接続された複数の基地局１００と、ＬＴＥネットワーク３００に接続され、基地局１００を監視する監視サーバ２００と、を有する通信システム１０００に用いられる。
本発明の通信制御方法は、取得ステップと、条件設定ステップと、通信情報送信ステップと、基地局抽出ステップと、調整ステップと、通信条件送信ステップと、通信条件受信ステップとを含んでいる。取得ステップでは、複数の基地局１００の各々が、基地局１００と当該基地局１００のセル内に存在する端末装置との間におけるデータ通信の混雑度を表すトラヒック情報を取得する。条件設定ステップでは、複数の基地局１００の各々が、通信する際の通信条件を設定する。通信情報送信ステップでは、前記複数の基地局の各々が、トラヒック情報と、通信条件とを監視サーバ２００に送信する。基地局抽出ステップでは、監視サーバ２００が、トラヒック情報に基づいて、通信状態が悪化している基地局を複数の基地局１００の中から障害基地局１００−１として抽出し、障害基地局１００−１に隣接する基地局である隣接基地局１００−２を複数の基地局１００の中から抽出する。調整ステップでは、監視サーバ２００が、トラヒック情報に基づいて、隣接基地局１００−２の通信条件を調整する。通信条件送信ステップでは、監視サーバ２００が、調整後の通信条件である調整後通信条件を隣接基地局１００−２に送信する。通信条件受信ステップでは、隣接基地局１００−２が、調整後通信条件を受信する。そして、条件設定ステップでは、隣接基地局１００−２が、調整後通信条件を設定する。
【０１１４】
この通信制御方法は、上述した通信システム１０００のシステムの発明を方法の発明としたものであるから、上述した通信システム１０００と同様の作用効果を奏する。
【０１１５】
＜第２の実施の形態＞
図５を用いて、本発明の第２の実施の形態における通信システム１０００Ｂの詳細な構成を説明する。図５は、通信システム１０００Ｂの構成を示すブロック図である。なお、図５では、図１〜４で示した各構成要素と同等の構成要素には、図１〜４で示した符号と同等の符号を付している。
【０１１６】
図５に示されるように、通信システム１０００Ｂは、基地局１００Ｂ−１、１００Ｂ−２及び１００Ｂ−３と、監視サーバ２００Ｂとを有して構成されている。なお、以下の説明では、基地局１００Ｂ−１、１００Ｂ−２及び１００Ｂ−３の各々を特に区別して説明する必要がない限り、これらを総称して基地局１００Ｂとする。
【０１１７】
図５に示されるように、基地局１００Ｂは、取得部１１０と、条件設定部１２０Ａと、通信情報送信部１３０と、通信条件受信部１４０Ａと、第１の制御部１５０と、通知送信部１７０とを備えて構成されている。
【０１１８】
図５に示されるように、監視サーバ２００Ｂは、通信情報受信部２１０と、記憶部２２０Ａと、第２の制御部２３０Ｂと、通信条件送信部２４０Ａと、通知受信部２６０とを備えて構成されている。第２の制御部２３０Ｂは、判断部２３１と、調整部２３２と、変更部２３３とを含んで構成されている。
【０１１９】
ここで、図１と図５とを対比する。図５では、基地局１００Ｂは通知送信部１７０を更に備えている。監視サーバ２００Ｂは通知受信部２６０を更に備えている。これらの点で、図１および図５は互いに相違する。また、図５では、第２の制御部２３０Ｂは、変更部２３３を更に備えた点で、図１に示される第２の制御部２３０と互いに相違する。以下の説明では、図１で示した構成と同等の構成については説明を省略する。
【０１２０】
図５に示されるように、通知送信部１７０は、第１の制御部１５０に接続されている。通知送信部１７０は、基地局１００Ｂの増設又は減設に伴うネットワークトポロジの変更通知を監視サーバ２００Ｂに送信する。ここでいうネットワークトポロジとは、前述と同様に、ＬＴＥネットワーク３００にどのような基地局１００Ｂが接続されているか等といったＬＴＥネットワーク３００の構成情報のことである。
【０１２１】
基地局１００Ｂが、基地局１００Ｂの増減を検出する動作については既知の技術を用いることができる。例えば、基地局１００Ｂは、自身のセル６００に隣接する他のセル６００の増減を検出することにより、基地局１００Ｂが増減したことを検出することができる。
【０１２２】
記憶部２２０Ａは、図３を用いて前述したように、通信情報受信部２１０により受信された通信条件と基地局２００Ｂとを対応付けて記憶する。
【０１２３】
図５に示されるように、通知受信部２６０は、第２の制御部２３０Ｂに接続されている。通知受信部２６０は、ネットワークトポロジの変更通知を各基地局１００から受信する。
【０１２４】
変更部２３３は、基地局１００Ｂが減設された場合には、減設された基地局１００Ｂに対応する通信条件を記憶部２２０Ａから削除し、基地局２００Ｂが増設された場合には、所定の通信条件を、増設された基地局２００Ｂと対応付けて記憶部２２０Ａに新たに記憶させる。
【０１２５】
通信条件送信部２４０Ａは、基地局２００Ｂが増設された場合、記憶部２２０Ａに新たに記憶された所定の通信条件を、増設された基地局１００Ｂに送信する。
【０１２６】
通信条件受信部１４０Ａは、通信条件送信部２４０Ａから送信される所定の通信条件を受信する。
【０１２７】
条件設定部１２０Ａは、所定の通信条件を設定する。
【０１２８】
次に、図６を用いて、通信システム１０００Ｂの動作について詳細に説明する。図６は、通信システム１０００Ｂの動作フローを示す図である。
【０１２９】
ここでは、基地局１００Ｂ−１が、ネットワークトポロジの変更通知を監視サーバ２００Ｂに送信する場合を想定する。また、基地局１００Ｂ−２が減設された場合と、基地局１００Ｂ−３が新たに増設された場合を想定する。
【０１３０】
監視サーバ２００Ｂは、基地局１００Ｂ−１及び１００Ｂ−２から、トラヒック情報、許容スループット及び通信条件を既に受信しているものとする。
【０１３１】
ここで、図７を用いて、基地局１００Ｂ−２が減設される前又は基地局１００Ｂ−３が新たに増設される前における、記憶部２２０Ａに記憶される基地局１００Ｂと、通信条件、トラヒック情報及び許容スループットとの対応関係について説明する。
【０１３２】
図７は、基地局１００Ｂ−２が減設される前又は基地局１００Ｂ−３が新たに増設される前における、記憶部２２０Ａに記憶される基地局１００Ｂと、通信条件、トラヒック情報及び許容スループットとの対応関係の一例を示す図である。
【０１３３】
図７の（１）では、基地局１００Ｂ−１と、許容スループットＸ１［ｂｐｓ］、送信電力ａ１［ｄＢ］、アンテナチルト角ａ２［度］、ＣＩＯａ３、スループットＡ１［ｂｐｓ］及びパケット廃棄率Ｂ１［％］とがそれぞれ対応付けられている場合を示している。図７の（２）は、図５の（１）と同様のため説明を省略する。
【０１３４】
図６に戻って、まず、基地局１００Ｂ−１の通知送信部１７０は、基地局１００Ｂ−３の増設又は基地局１００Ｂ−２の減設に伴うネットワークトポロジの変更通知を送信する（Ｓ４００）。
【０１３５】
監視サーバ２００Ｂの通知受信部２６０は、ネットワークトポロジの変更通知を受信する（Ｓ４１０）。
【０１３６】
変更部２３３は、基地局１００Ｂ−２が減設された場合（Ｓ４２０、減設）、減設された基地局１００Ｂ−２に対応する通信条件を記憶部２２０Ａから削除する（Ｓ４３０）。この場合、変更部２３３は、図７の（２）に示した通信条件を削除する。このとき、変更部２３３は、図７の（２）に示す通信条件に加え、図７の（２）に示した基地局リスト、ネットワークパラメータ、許容スループット及びトラヒック情報を削除してもよい。
【０１３７】
一方、変更部２３３は、基地局１００Ｂ−３が増設された場合（Ｓ４２０、増設）、所定の通信条件を、増設された基地局１００Ｂ−３と対応付けて記憶部２２０Ａに新たに記憶させる（Ｓ４４０）。
【０１３８】
ここで、図８を用いて、基地局１００Ｂ−３が新たに増設された後における、記憶部２２０Ａに記憶される基地局１００Ｂ−３と、通信条件との対応関係について説明する。
【０１３９】
図８は、基地局１００Ｂ−３が新たに増設された後における、記憶部２２０Ａに記憶される基地局１００Ｂ−３と、通信条件との対応関係の一例を示す図である。
【０１４０】
図８の（３）では、基地局１００Ｂ−３と、所定の通信条件とが対応付けられている場合を示している。なお、図８の（３）では、所定の通信条件の図示を省略している。所定の通信条件は、例えば、監視サーバ２００Ｂに予め設定されている。また、所定の通信条件は、例えば、監視サーバ２００Ｂの管理者により任意に設定されてもよい。
【０１４１】
図６に戻って、監視サーバ２００Ｂの通信条件送信部２４０Ａは、記憶部２２０Ａに記憶され基地局１００Ｂ−２に対応付けられた所定の通信条件を、基地局１００Ｂ−３に送信する（Ｓ４５０）。
【０１４２】
基地局１００Ｂ−３の通信条件受信部１４０Ａは、所定の通信条件を受信する（Ｓ４６０）。
【０１４３】
最後に、基地局１００Ｂ−３の条件設定部１２０Ａは、所定の通信条件を設定する（Ｓ４７０）。そして、第１の制御部１５０が、条件設定部１２０Ａにより設定された通信条件に従って、基地局１００Ｂ−３を制御する。
【０１４４】
なお、Ｓ４７０の処理の後、基地局１００Ｂ−３は、図４のＳ１１０の処理を行ってもよい。これにより、基地局１００Ｂ−３は、基地局１００Ｂ−３とＬＴＥネットワーク３００との間におけるデータ通信の混雑度に応じて、通信条件を調整することができる。
【０１４５】
以上に説明したように、本発明の第２の実施の形態における通信システム１０００Ｂにおいて、基地局１００Ｂは、通知送信部１７０を備えている。通知送信部１７０は、基地局１００Ｂの増設又は減設に伴うネットワークトポロジの変更通知を監視サーバ２００Ｂに送信する。監視サーバ２００Ｂは、記憶部２２０Ａと、通知受信部２６０と、変更部２３３とを備えている。
【０１４６】
記憶部２２０Ａは、通信情報受信部２１０により受信された通信条件と基地局２００Ｂとを対応付けて記憶する。通知受信部２６０は、ネットワークトポロジの変更通知を受信する。変更部２３３は、基地局１００Ｂが減設された場合には、減設された基地局１００Ｂに対応する通信条件を記憶部２２０Ａから削除し、基地局２００Ｂが増設された場合には、所定の通信条件を、増設された基地局２００Ｂと対応付けて記憶部２２０Ａに新たに記憶させる。通信条件送信部２４０Ａは、基地局２００Ｂが増設された場合、記憶部２２０Ａに新たに記憶された所定の通信条件を、増設された基地局１００Ｂに送信する。通信条件受信部１４０Ａは、通信条件送信部２４０Ａから送信される所定の通信条件を受信する。条件設定部１２０Ａは、所定の通信条件を設定する。
【０１４７】
このように、通信条件送信部２４０Ａは、基地局２００Ｂが増設された場合、記憶部２２０Ａに新たに記憶された所定の通信条件を、増設された基地局１００Ｂに送信する。条件設定部１２０Ａは、所定の通信条件を設定する。従って、基地局１００Ｂの保守者は、新たに増設された基地局１００Ｂ−３に対して、通信条件を設定する必要がない。この結果、基地局１００Ｂの保守者が通信条件を設定する場合と比較して、基地局１００Ｂの保守運営費を低減することができ、低コスト化を図ることができる。また、基地局１００Ｂの保守者が通信条件を調整する必要がないので、保守者により通信条件の調整ミス等といったオペレーションミスを抑制することができる。
【０１４８】
以上、実施の形態を基に本発明を説明した。実施の形態は例示であり、本発明の主旨から逸脱しない限り、上述の実施の形態に対して、様々な変更、増減、組合せを加えてもよい。
【符号の説明】
【０１４９】
１００、１００Ｂ  基地局
１１０  取得部
１２０、１２０Ａ  条件設定部
１３０  通信情報送信部
１４０、１４０Ａ  通信条件受信部
１５０  第１の制御部
１７０  通知送信部
２００、２００Ｂ  監視サーバ
２１０  通信情報受信部
２２０、２２０Ａ  記憶部
２３０、２３０Ｂ  第２の制御部
２３１  判断部
２３２  調整部
２３３  変更部
２４０、２４０Ａ  通信条件送信部
２６０  通知受信部
３００  ＬＴＥネットワーク
４００  ＥＰＣ
５００  コアネットワーク
６００  セル
１０００、１０００Ｂ  通信システム
【図１】
2016171390.tif 000003
【図２】
2016171390.tif 000004
【図３】
2016171390.tif 000005
【図４】
2016171390.tif 000006
【図５】
2016171390.tif 000007
【図６】
2016171390.tif 000008
【図７】
2016171390.tif 000009
【図８】
2016171390.tif 000010